(57)【特許請求の範囲】
【請求項１】
複数の発光点を有する光源手段と、該光源手段から出射された複数の光束を偏向手段に導光する入射光学手段と、該偏向手段で反射偏向された複数の光束を被走査面上に結像させる走査光学手段と、該偏向手段を介した複数の光束を反射手段により副走査断面内で所定の角度で反射させてスリット部材面上を走査し、該スリット部材を介して同期検出素子面上に導光し、該同期検出素子からの信号を用いて該被走査面上の走査開始位置のタイミングを制御する同期検出手段と、を有するマルチビーム光走査光学系において、
前記スリット部材のスリット開口上を走査する複数の光束が該スリット開口を垂直に走査するように、該スリット部材のスリット開口の長手方向と前記偏向手段の回転軸方向とが互いに非平行となるように配置されていることを特徴とするマルチビーム光走査光学系。
【請求項２】
複数の発光点を有する光源手段と、該光源手段から出射された複数の光束を偏向手段に導光する入射光学手段と、該偏向手段で反射偏向された複数の光束を被走査面上に結像させる走査光学手段と、該偏向手段を介した複数の光束を反射手段により副走査断面内で所定の角度で反射させてスリット部材面上を走査し、該スリット部材を介して同期検出素子面上に導光し、該同期検出素子からの信号を用いて該被走査面上の走査開始位置のタイミングを制御する同期検出手段と、を有するマルチビーム光走査光学系において、
前記スリット部材の直線状のエッジ部上を走査する複数の光束が該スリット部材の直線状のエッジ部を垂直に横切るように、該スリット部材の直線状のエッジ部と前記偏向手段の回転軸方向とが互いに非平行となるように配置されていることを特徴とするマルチビーム光走査光学系。
【請求項３】
前記同期検出手段は、前記光源手段から出射された複数の光束毎に前記被走査面上の走査開始位置のタイミングを制御することを特徴とする請求項１又は２記載のマルチビーム光走査光学系。
【請求項４】
前記スリット部材は該スリット部材面上を走査する複数の光束によって形成される面に対して、垂直もしくは略垂直に配置されていることを特徴とする請求項１乃至３のいずれか１項記載のマルチビーム光走査光学系。
【請求項５】
請求項１乃至４のいずれか１項記載のマルチビーム光走査光学系を用いて画像形成を行なうことを特徴とする画像形成装置。
【発明の詳細な説明】
【０００１】
【発明の属する技術分野】
本発明はマルチビーム光走査光学系及びそれを用いた画像形成装置に関し、特に同期検出手段の一要素を構成するスリット部材を適切に配置することにより、主走査方向に印字位置のずれのない、高精度な印字品質を得ることができる、例えばレーザービームプリンタ（ＬＢＰ）やデジタル複写機等の装置に好適なものである。
【０００２】
【従来の技術】
従来、より高速な光走査を可能にする方法として、例えばレーザー光源をマルチビーム化（マルチレーザー光源）し、複数の光束（光ビーム）を用いて被走査面上を同時に光走査し、該被走査面上に所定の間隔で複数の走査線を形成する方法（マルチビーム光走査光学系）が知られている。このようなマルチビーム光走査光学系におけるマルチレーザー光源としては、例えば
▲１▼１チップ上に複数の発光点（発光部）を有するもの、
▲２▼複数のレーザ発光素子を用いてビームスプリッタによって光路合成するもの、
▲３▼１本の光束をビームスプリッタで複数に分割し、該分割された各々の光束に対して変調器を設けて独立駆動するもの、
等がある。
【０００３】
図５は１チップ上に２つの発光点を有する従来のマルチビーム光走査光学系の要部概略図である。
【０００４】
同図においてはマルチレーザー光源としてのマルチ半導体レーザー５１から画像情報に応じて光変調され出射した複数の光束がコリメーターレンズ５２により略平行光束もしくは収束光束に変換され、シリンドリカルレンズ５３に入射する。シリンドリカルレンズ５３に入射した光束のうち主走査断面内においてはそのままの状態で射出する。また副走査断面内においては収束して光偏向器５４の偏向面（反射面）５４ａにほぼ線像（主走査方向に長手の線像）として結像する。そして光偏向器５４の偏向面５４ａで反射偏向された複数の光束は副走査断面内で互いにパワーが異なる第１、第２のｆθレンズ５５ａ，５５ｂを有する結像光学系（ｆθレンズ系）５５により被走査面５６上にスポット状に各々結像され、該光偏向器５４を矢印Ａ方向に回転させることによって、該被走査面５６上を矢印Ｂ方向（主走査方向）に等速度で光走査している。尚、同図においては１本のみの光束を記している。
【０００５】
このようなマルチビーム光走査光学系においては画像の書き出し位置を正確に制御する為に、画像信号を書き出す直前に同期検出手段を設けるのが一般的である。
【０００６】
ここで図５において８３はスリット部材（ＢＤスリット）であり、感光ドラム面５６と等価な位置に配されている。８４は同期検出素子としての光センサー（ＢＤセンサー）である。尚、ＢＤスリット８３、ＢＤセンサー８４等の各要素は同期検出手段９１の一要素を構成している。
【０００７】
同図においてはＢＤセンサー８４からの出力信号を用いて感光ドラム面５６上への画像記録の走査開始位置のタイミングを調整している。
【０００８】
図６は図５のＢＤスリット８３を光束の入射側から見たときの要部断面図である。同図においてＢＤスリット８３は第１、第２のエッジ部８３ａ，８３ｂを有し、該第１、第２のエッジ部８３ａ，８３ｂは図中座標系のＺ軸に対して各々平行に配置されている。ＢＤスリット８３面上には同期検出用の複数の光束（ＢＤ光束）の第１、第２のレーザースポット１１，１２が各々結像されている。光偏向器５４が図５に示す矢印Ａ方向に回転すると第１、第２のレーザースポット１１，１２は図６に示す矢印Ａ３，Ａ４方向に各々走査する。
【０００９】
図６に示すように第１、第２のレーザースポット１１，１２は主走査方向（Ｙ軸方向）と副走査方向（Ｚ軸方向）とに各々所定距離、離れている。いま、主走査方向の距離をＬ´とすると、第１、第２のレーザースポット１１，１２は主走査方向に常に距離Ｌ´だけ離れて被走査面５６上を走査することになる。
【００１０】
画像形成用の各光束Ａ１の被走査面５６上の走査開始点６１（画像書出し開始位置）の決定は以下のように行われる。
【００１１】
即ち、被走査面５６上の主走査方向の上流側に設けられたＢＤセンサー８４にＢＤ光束Ｂ３が入射したときのタイミングをＢＤ検知とし、このＢＤ検知を各光束毎に各々独立に行ない、そのＢＤ検知から所定の遅延時間後を画像書き出し開始とする。
【００１２】
ＢＤ光束Ｂ３がＢＤセンサー８４に入射したときのタイミングをより明確に検知する為に、該ＢＤセンサー８４の前方にはＢＤスリット８３が設けられている。このＢＤスリット８３は上述の如く第１、第２のエッジ部８３ａ，８３ｂとから構成されており、この第１、第２のエッジ部８３ａ，８３ｂの主走査方向の間隔Ｌは第１、第２のレーザースポット１１，１２の主走査方向の間隔Ｌ´より狭く設定されている。これにより第１、第２のレーザースポット１１，１２が同時にＢＤセンサー８４に入射されることがない。よって第１、第２のレーザースポット１１，１２の走査により、ＢＤセンサー８４からは第１の検知信号と第２の検知信号とを得ることができる。そして検知信号の立ち上げ、もしくは立ち下げ時に所定のスライスレベルに達した時刻でＢＤ検知のタイミングを特定する。
【００１３】
第１、第２のエッジ部８３ａ，８３ｂは図６の座標系のＺ軸に対して各々平行に構成されているので、各光束についてＢＤ検知から画像書出し開始位置までの距離が同じとなり、かつ遅延時間も同一となる。よって各光束毎に画像書出し開始位置のバラツキを低減することができる。
【００１４】
このようなマルチビーム光走査光学系においては被走査面５６上の位置に記録媒体としての感光デバイス（不図示）を設け、画像情報に基づくレーザー変調駆動で感光デバイスを露光し、既知の電子写真プロセスにて具現化することでレーザービームプリンタやデジタル複写機などの画優形成装置を実現できる。
【００１５】
尚、ＢＤセンサーから画像書出し開始位置までの距離が構成部品の寸法精度や光学部品の焦点距離によって変わる場合、ＢＤ検知から画像書出し開始位置までの遅延時間を既知の方法、例えば同期検出手段を構成する少なくとも一部の要素を光軸に対し垂直な方向にシフトさせて調整すれば良い。
【００１６】
【発明が解決しようとする課題】
しかしながら上記に示した従来のマルチビーム光走査光学系においては以下に示す問題点を有している。
【００１７】
▲１▼マルチビーム光走査光学系をコンパクトに構成する為に同期検出用の光路上に折り返しミラーを挿入し、主走査断面内及び副走査断面内で光路を折り曲げると主走査方向にジッターが発生する。即ち、マルチビーム光走査光学系の光路を折り曲げると、同期検出用のＢＤスリット８３面上を走査する光束によって形成される面が第１、第２のエッジ部８３ａ，８３ｂに対して傾く。この為、各光束がスリット開口８３ｃを斜めに走査することになる。この結果、複数の光束がスリット開口８３ｃを走査する時間間隔と複数の光束が被走査面上を走査する時間間隔とが異なってきて正しい同期信号が得られなくなってくる。
【００１８】
また各光束がスリット開口８３ｃを斜めに走査すると各光束についてＢＤ検知位置から画像書出し開始位置までの距離が異なってしまうという問題点が発生する。またＢＤ検知から画像書出し開始位置までの遅延時間を同じまま駆動すると、画像書出し開始位置が光束の本数周期でずれることになり、画像としては副走査方向の直線がギザギザになる主走査方向のジッターとして観測される。
【００１９】
これを回避する方法として各光束毎にＢＤ検知から画像書出し開始位置までの遅延時間を異ならせて駆動すればよいが、各々の光束毎に独立した遅延回路が必要になり、この結果、装置全体が複雑化になり、かつ高コスト化につながるという問題点が発生してくる。
【００２０】
本発明は高速印字を可能とするマルチビーム光走査光学系において、被走査面上の走査開始位置のタイミングを制御する同期検出手段の一要素を構成するスリット部材の配置方向を適切に設定することにより、複雑な光路構成を必要とすることなく、主走査方向におけるジッターを防止して画質の向上を図ることができるマルチビーム光走査光学系及びそれを用いた画像形成装置の提供を目的とする。
【００２１】
【課題を解決するための手段】
請求項１の発明のマルチビーム光走査光学系は、複数の発光点を有する光源手段と、該光源手段から出射された複数の光束を偏向手段に導光する入射光学手段と、該偏向手段で反射偏向された複数の光束を被走査面上に結像させる走査光学手段と、該偏向手段を介した複数の光束を反射手段により副走査断面内で所定の角度で反射させてスリット部材面上を走査し、該スリット部材を介して同期検出素子面上に導光し、該同期検出素子からの信号を用いて該被走査面上の走査開始位置のタイミングを制御する同期検出手段と、を有するマルチビーム光走査光学系において、
前記スリット部材のスリット開口上を走査する複数の光束が該スリット開口を垂直に走査するように、該スリット部材のスリット開口の長手方向と前記偏向手段の回転軸方向とが互いに非平行となるように配置されていることを特徴としている。
【００２２】
請求項２の発明のマルチビーム光走査光学系は、複数の発光点を有する光源手段と、該光源手段から出射された複数の光束を偏向手段に導光する入射光学手段と、該偏向手段で反射偏向された複数の光束を被走査面上に結像させる走査光学手段と、該偏向手段を介した複数の光束を反射手段により副走査断面内で所定の角度で反射させてスリット部材面上を走査し、該スリット部材を介して同期検出素子面上に導光し、該同期検出素子からの信号を用いて該被走査面上の走査開始位置のタイミングを制御する同期検出手段と、を有するマルチビーム光走査光学系において、
前記スリット部材の直線状のエッジ部上を走査する複数の光束が該スリット部材の直線状のエッジ部を垂直に横切るように、該スリット部材の直線状のエッジ部と前記偏向手段の回転軸方向とが互いに非平行となるように配置されていることを特徴としている。
【００２３】
請求項３の発明は請求項１又は２の発明において、前記同期検出手段は、前記光源手段から出射された複数の光束毎に前記被走査面上の走査開始位置のタイミングを制御することを特徴としている。
【００２４】
請求項４の発明は請求項１乃至３のいずれか１項の発明において、前記スリット部材は該スリット部材面上を走査する複数の光束によって形成される面に対して、垂直もしくは略垂直に配置されていることを特徴としている。
【００２５】
請求項５の発明の画像形成装置は請求項１乃至４のいずれか１項記載のマルチビーム光走査光学系を用いて画像形成を行なうことを特徴としている。
【００３３】
【発明の実施の形態】
（実施形態１）
図１は本発明のマルチビーム光走査光学系をレーザービームプリンタやデジタル複写機等の画像形成装置に適用したときの実施形態１の主走査方向の要部断面図（主走査断面図）、図２は図１に示したＢＤセンサー周辺の主走査断面図、図３は図１に示したＢＤセンサー周辺の副走査断面図である。
【００３４】
尚、本明細書において光偏向器によって光束が反射偏向（偏向走査）される方向を主走査方向、走査光学手段の光軸及び主走査方向と直交する方向を副走査方向と定義する。
【００３５】
図中、１は光源手段であり、例えば１チップ上に複数の発光点（光源）を有するマルチ半導体レーザーより成っている。２はコリメーターレンズであり、マルチ半導体レーザー１から出射した光束を略平行光束もしくは収束光束としている。３はシリンドリカルレンズ（シリンダーレンズ）であり、副走査断面内にのみ所定の屈折力を有している。尚、コリメーターレンズ２、シリンドリカルレンズ３等の各要素は入射光学手段１４の一要素を構成している。尚、入射光学手段１４内に開口絞りを配置しても良い。
【００３６】
４は偏向手段としての光偏向器であり、例えばポリゴンミラー（回転多面鏡）より成っており、ポリゴンモーター等の駆動手段（不図示）により図中矢印Ａ方向に均一速度で回転している。
【００３７】
５はｆθ特性を有する走査光学手段（結像光学系）であり、第１、第２のｆθレンズ５ａ，５ｂを有しており、光偏向器４によって反射偏向された画像情報に基づく光束を被走査面としての感光ドラム面６上に結像させている。第１、第２のｆθレンズ５ａ，５ｂは副走査断面内で互いに異なるパワーを有するアナモフィックレンズより成っている。
【００３８】
６は被走査面としての感光ドラム面（記録媒体面）である。
【００３９】
７は反射手段であり、折り返しミラー（以下、「ＢＤミラー」とも記す。）より成っており、感光ドラム面６上の走査開始位置のタイミングを調整する為の同期検出用の光束（以下、「ＢＤ光束」とも記す。）Ｂ１を後述するＢＤセンサー１０側へ主走査断面内及び副走査断面内において所定の角度で反射させている。
【００４０】
８はスリット部材（以下、「ＢＤスリット」とも記す。）であり、スリット開口８ｃとＢＤミラー７を介したＢＤ光束Ｂ２が横切る直線状の第１、第２のエッジ部８ａ，８ｂを有しており、感光ドラム面６と等価な位置に配置されており、かつスリット開口８ｃ面上を走査する複数のＢＤ光束Ｂ２が該スリット開口８ｃを略垂直に走査するように配置されている。
【００４１】
９は結像手段としての結像レンズ（以下、「ＢＤレンズ」とも記す。）であり、ＢＤミラー７と同期検出素子１０とを略共役な関係にする為のものであり、ＢＤミラー７の面倒れを補正してＢＤセンサー１０への入射光束のバラツキを低減している。
【００４２】
１０は同期検出素子（以下、「ＢＤセンサー」とも記す。）であり、本実施形態ではＢＤセンサー１０からの出力信号を検知して得られた書き出し位置同期信号（ＢＤ信号）を用いて感光ドラム面６上への画像記録の走査開始位置のタイミングを調整している。
【００４３】
尚、ＢＤミラー７、ＢＤスリット８、ＢＤレンズ９、そしてＢＤセンサー１０等の各要素は同期検出手段（検知手段）２１の一要素を構成している。本実施形態における同期検出手段２１はマルチ半導体レーザー１から出射された複数の光束毎に被走査面６上の走査開始位置のタイミングを制御（検知手段によって検知してから所定の同一時間後に書き出しを開始）している。尚、同期検出手段２１は複数の光束のうち少なくとも１つの光束に対して走査開始位置のタイミングを制御しても良い。
【００４４】
本実施形態においてマルチ半導体レーザー１から画像情報に応じて光変調され出射した複数の光束はコリメーターレンズ２により略平行光束もしくは収束光束に変換され、シリンドリカルレンズ３に入射する。シリンドリカルレンズ３に入射した光束のうち主走査断面内においてはそのままの状態で射出する。また副走査断面内においては収束して光偏向器４の偏向面４ａにほぼ線像（主走査方向に長手の線像）として結像する。そして光偏向器４の偏向面４ａで反射偏向された複数の光束は走査光学手段５により感光ドラム面６上にスポット状に結像され、該光偏向器４を矢印Ａ方向に回転させることによって、該感光ドラム面６上を矢印Ｂ方向（主走査方向）に等速度で光走査している。これにより記録媒体である感光ドラム面６上に画像記録を行なっている。
【００４５】
このとき感光ドラム面６上を光走査する前に該感光ドラム面６上の走査開始位置のタイミングを調整する為に、光偏向器４で反射偏向された複数の光束の一部（ＢＤ光束）をＢＤミラー７で反射させてＢＤスリット８面上を走査し、該ＢＤスリット８を介してＢＤレンズ９によりＢＤセンサー１０に導光している。そしてＢＤセンサー１０からの出力信号を検知して得られたＢＤ信号を用いて感光ドラム面６上への画像記録の走査開始位置のタイミングを調整している。尚、同図においては１本の光束のみを記している。
【００４６】
本実施形態においては光偏向器４で反射偏向されたＢＤ光束Ｂ１がＢＤミラー７によって図１〜図３に示すように主走査断面（ＸＹ断面）内と副走査断面（ＸＺ断面）内で各々、所定の角度で折り曲げられて、ＢＤ光束Ｂ２としてＢＤセンサー１０に向かう。このとき前述の如く主走査断面内及び副走査断面内で光路を折り曲げると主走査方向にジッターが発生する。
【００４７】
そこで本実施形態では図４に示す如くＢＤスリット８をスリット開口８ｃ面上を走査する複数のＢＤ光束Ｂ２が該スリット開口８ｃを略垂直に走査するように配置することによって複数の光束の本数毎に生じる主走査方向のジッターを防止することができ、これにより高速化を実現し、画像性能を向上させしている。
【００４８】
図４はＢＤスリット８をＢＤ光束Ｂ２の入射側から見たときの要部断面図である。同図において座標系Ｙ´Ｚ´はＢＤスリット８上のローカル座標系であり、Ｚ´軸は図１のＺ軸が平行シフトされており、座標系Ｙ´Ｚ´は図１のＸＹ平面に対して平行となっている。
【００４９】
本実施形態では上述の如くＢＤスリット８をスリット開口８ｃ面上を走査する複数のＢＤ光束Ｂ２が該スリット開口８ｃを略垂直に走査するように配置しており、図中座標系のＺ´軸に対して非平行と成るように配置しており、ＢＤスリット８のスリット開口８ｃの長手方向（開口部８ｃの長手方向）と光偏向器４の回転軸１３方向とが互いに非平行となるように配置している。即ち、ＢＤスリット８をスリット開口８ｃ面上を走査する複数のＢＤ光束Ｂ２が該スリット開口８ｃの第１、第２のエッジ部８ａ，８ｂを垂直に横切るように配置している。
【００５０】
スリット開口８ｃ面上には複数のＢＤ光束Ｂ２の第１、第２のレーザースポット１１，１２が各々結像されており、光偏向器４が図１に示す矢印Ａ方向に回転すると第１、第２のレーザースポット１１，１２は図４に示す矢印Ａ１，Ａ２方向に各々走査する。この矢印Ａ１，Ａ２方向を含む面と、前記スリット開口８ｃ面上を走査する複数のＢＤ光束Ｂ２が形成する面とが一致する。
【００５１】
第１、第２のレーザースポット１１，１２は図４に示すように走査方向（矢印Ａ１，Ａ２方向）と、これと垂直な方向に各々所定距離、離れている。いま、第１、第２のレーザースポット１１，１２間の走査方向の距離をＬ´とすると、第１、第２のレーザースポット１１，１２は走査方向に常に距離Ｌ´だけ離れて被走査面６上を走査することになる。
【００５２】
本実施形態において画像形成用の各光束Ａ１の被走査面６上の走査開始点２２（画像書出し開始位置）の決定は以下のように行われる。
【００５３】
即ち、ＢＤ光束Ｂ２がＢＤセンサー１０に入射したときのタイミングをＢＤ検知とし、このＢＤ検知を各光束毎に各々独立に行ない、そのＢＤ検知から所定の遅延時間後を画像書出し開始とする。
【００５４】
本実施形態ではＢＤ光束Ｂ２がＢＤセンサー１０に入射したときのタイミングをより明確に検知する為に、該ＢＤセンサー１０の前方にＢＤスリット８を設けている。このＢＤスリット８は図４に示したように第１、第２のエッジ部８ａ，８ｂとから構成されており、この第１、第２のエッジ部８ａ，８ｂの走査方向の間隔Ｌは第１、第２のレーザースポット１１，１２の走査方向の間隔Ｌ´より狭く設定されている。これにより第１、第２のレーザースポット１１，１２が同時にＢＤセンサー１０に入射されることがない。よって第１、第２のレーザースポット１１，１２の走査により、ＢＤセンサー１０からは第１の検知信号と第２の検知信号を得ることができる。そして検知信号の立ち上げもしくは立ち下げ時に所定のスライスレベルの達した時刻でＢＤ検知のタイミングを特定する。
【００５５】
このように第１、第２のエッジ部８ａ，８ｂを有するＢＤスリット８は前述の如くスリット開口８ｃ面上を走査する複数のＢＤ光束Ｂ２が該スリット開口８ｃを略垂直に走査するように配置されているので、各ＢＤ光束Ｂ２についてＢＤ検知から画像書出し開始位置までの距離が同じとなり、遅延時間も同一となる。これにより各光束毎に画像書出し開始位置のバラツキを低減することができる。また本実施形態では各光束毎に異なった時間の遅延回路を設ける必要が無く、回路構成をシンプルにでき、低コスト化を図ることができる。
【００５６】
尚、ＢＤセンサーから画像書出し開始位置までの距離が構成部品の寸法精度や光学部品の焦点距離によって変わる場合、ＢＤ検知から画像書出し開始位置までの遅延時間を既知の方法、例えば前述の如く同期検出手段を構成する少なくとも一部の要素を光軸に対し垂直な方向にシフトさせて調整すれば良い。
【００５７】
また本実施形態においてはマルチビーム光走査光学系を構成するｆθレンズ系５、コリメーターレンズ２、そしてシリンドリカルレンズ３等の一部もしくは全てのレンズにプラスチックレンズを導入している。これにより非球面による高性能化や低コスト化を図っている。
【００５８】
また本実施形態においては第１、第２のエッジ部８ａ，８ｂの両方をスリット開口８ｃ面上を走査する複数のＢＤ光束Ｂ２が垂直に横切るように形成したが、一方のエッジ部だけでも良い。即ち第１、第２のエッジ部８ａ，８ｂを互いに非平行となるように構成しても前述の実施形態１と同様な効果を得ることができる。
【００５９】
【発明の効果】
本発明によれば前述の如く高速印字を可能とするマルチビーム光走査光学系において、被走査面上の走査開始位置のタイミングを制御する同期検出手段の一要素を構成するスリット部材の配置方向を適切に設定することにより、各光束についてＢＤ検知から書出し開始位置までの距離を同じにすることができ、かつ遅延時間も同一とすることができ、これにより複数の光束の本数毎に生じる主走査方向のジッターを防止できると共に、高速化を実現し、画像性能を向上させることができるマルチビーム光走査光学系及びそれを用いた画像形成装置を達成することができる。
【図面の簡単な説明】
【図１】  本発明の実施形態１の主走査断面図
【図２】  本発明の実施形態１のＢＤセンサー近傍の主走査断面図
【図３】  本発明の実施形態１のＢＤセンサー近傍の副走査断面図
【図４】  本発明の実施形態１のＢＤスリット部近傍の拡大説明図
【図５】  従来のマルチビーム光走査光学系の主走査断面図
【図６】  従来のＢＤスリット部近傍の拡大説明図
【符号の説明】
１    光源手段（マルチ半導体レーザー）
２    コリメーターレンズ
３    シリンドリカルレンズ
４    偏向手段（光偏向器）
５    走査光学手段（ｆθレンズ系）
６    被走査面（感光ドラム面）
７    反射手段（ＢＤミラー）
８    スリット部材（ＢＤスリット）
８ａ  第１のエッジ部
８ｂ  第２のエッジ部
８ｃ  スリット開口
９    結像手段（ＢＤレンズ）
１０  同期検出素子（ＢＤセンサー）
１３  回転軸
１４  入射光学手段
２１  同期検出手段
Ａ１  画像形成用の光束
Ｂ１，Ｂ２    ＢＤ光束
【図１】
0004006153.tif 000002
【図２】
0004006153.tif 000003
【図３】
0004006153.tif 000004
【図４】
0004006153.tif 000005
【図５】
0004006153.tif 000006
【図６】
0004006153.tif 000007